(57)【要約】【課題】  周囲の騒音を遮断してスピーカ出力音が７０ｄＢに満たない場合から９０ｄＢを超える大音量で、感音性難聴者が軽・中・重度の症状に合わせて周囲の騒音に悩まされることなく、明確な音で聞き取ることができ、送受話も可能なイヤホーンマイクを提供すること。【解決手段】  スピーカＳＰを有し、一方の耳に装着する第１のイヤホーン２と、マイクロホンＭｉｃを有し、他方の耳に装着する第２のイヤホーン３と、前記マイクロホンのオンオフを切り換える切換スイッチＳＷと、これら切換スイッチ、スピーカ及びマイクロホンを携帯電話などの通信機器に接続する接続手段５とを具備し、第２のイヤホーンのマイクロホンＭｉｃは、外耳道内音声を拾って取り込むマイクロホンであり、第１のイヤホーン及び第２のイヤホーンは、耳への装着により外耳道を密閉するイヤーパッド１１を有する。【選択図】        図１
2008283326.tif 000002
【特許請求の範囲】
【請求項１】
スピーカを有し、一方の耳に装着する第１のイヤホーンと、マイクロホンを有し、他方の耳に装着する第２のイヤホーンと、前記マイクロホンのオンオフを切り換える切換スイッチと、これら切換スイッチ、スピーカ及びマイクロホンを携帯電話などの通信機器に接続する接続手段とを具備し、第２のイヤホーンのマイクロホンは、外耳道内音声を拾って取り込むマイクロホンであり、第１のイヤホーン及び第２のイヤホーンは、耳への装着により外耳道を密閉するイヤーパッドを有することを特徴とするイヤホーンマイク。
【請求項２】
接続手段は、通信機器に接続するプラグなどの接続部と、この接続部と第１のイヤホーンのスピーカを接続する第１の接続線と、前記接続部と第２のイヤホーンのマイクロホンを接続する第２の接続線とを有し、第２の接続線に切換スイッチが設けられている請求項１に記載のイヤホーンマイク。
【請求項３】
切換スイッチは、接続部から所定の長さ第１，２のイヤホーン側にある第１の接続線及び第２の接続線の位置に両接続線を束ねるように設けたスイッチボックスに配置されている請求項２に記載のイヤホーンマイク。
【請求項４】
第１のスピーカを有し、一方の耳に装着する第１のイヤホーンと、第２のスピーカとマイクロホンを有し、他方の耳に装着する第２のイヤホーンと、前記マイクロホンのオンオフを切り換える第１の切換スイッチと、第２のスピーカのオンオフを切り換える第２の切換スイッチと、これら第１，２の切換スイッチ、第１，２のスピーカ及びマイクロホンを携帯電話などの通信機器や携帯オーディオプレーヤーなどのオーディオ機器に接続する接続手段とを具備し、第２のイヤホーンのマイクロホンは、外耳道内音声を拾って取り込むマイクロホンであり、第１のイヤホーン及び第２のイヤホーンは、耳への装着により外耳道を密閉するイヤーパッドを有することを特徴とするイヤホーンマイク。
【請求項５】
接続手段は、通信機器やオーディオ機器に接続するプラグなどの接続部と、この接続部と第１のイヤホーンの第１のスピーカを接続する第１の接続線と、前記接続部と第２のイヤホーンのマイクロホンを接続する第２の接続線と、前記接続部と第２のイヤホーンの第２のスピーカを接続する第３の接続線とを有し、第２の接続線に第１の切換スイッチが設けられ、第２の接続線及び第３の接続線に第２の切換スイッチが設けられている請求項４に記載のイヤホーンマイク。
【請求項６】
第１の切換スイッチ及び第２の切換スイッチは、接続部から所定の長さ第１，２のイヤホーン側にある第１の接続線、第２の接続線及び第３の接続線の位置にこれら接続線を束ねるように設けたスイッチボックスに配置されている請求項５に記載のイヤホーンマイク。
【発明の詳細な説明】
【技術分野】
【０００１】
この発明は、携帯電話、電話機、無線機などの通信機器や携帯オーディオプレーヤーなどのオーディオ機器などに接続されて使用されるイヤホーンマイク、特に感音性難聴者でも周囲の騒音に悩まされることなく、前記各機器からの音声や音楽を明確な音で聞き取ることができ、送受話も可能なイヤホーンマイクに関するものである。
【背景技術】
【０００２】
近年、携帯電話の普及が目覚しく、社会生活においてコミュニケーションの手段だけにとどまらず、ミュージック携帯による音楽鑑賞や、ワンセグ携帯によるＴＶ鑑賞も可能となった。しかし、残念ながら感音性難聴者はこれら多用途の携帯電話を使用できない。何故ならば、補聴器をしたまま携帯電話を使用すると、発振やエコーが発生し、全く通話には使用できない。また、補聴器を使用しない場合は、７０ｄＢ〜１１０ｄＢ以上の大音量が必要であり、周囲にも迷惑がかかるためである。さらに、健聴者には気にならないレベルの騒音により、聞き分けられないという問題もあり、コミュニケーションはもとより、音楽もＴＶも楽しむことはできなかった。
【０００３】
そこで、前記のような事情から周囲の騒音が激しい場所でも良好な通話を確保することができるイヤーマイクロホンが提案されている（例えば、特許文献１参照）。このイヤーマイクロホンは携帯電話の子機として携帯電話に接続して使用するために、両耳に装着されるセパレート型のイヤホーンを１対具え、一方のイヤホーンにスピーカ、他方のイヤホーンに口許に位置させて使用する第１のマイクロホン（コンデンサーマイクロホン）のほかに第２のマイクロホン（骨伝導マイクロホン）を有し、周囲に騒音があるときには第２のマイクロホンを使用することにより、良好な通話を確保することができるようにしている。
【０００４】
しかし、特許文献１のイヤーマイクロホンにおいても骨伝導音を拾うマイクロホンを採用しているため、周囲の騒音は拾わないが、衣服や接続線等の擦れ音と、身体の振動や身体を媒体とした周囲の振動を拾って、これがノイズとして相手に伝わる問題がある。しかも、骨伝導マイクロホンは、声帯の振動が骨を伝わり、機械伝播されたその振動をピックアップマイクによって拾う基本的構造のため、明瞭度がない。そのため、２０数年の時を経ても普及していないのが現状である。また、耳に装着するピックアップマイクは、骨部に密着する必要があるが、作業中等では密着させ続けることが難しく、テープ等で貼って押さえる必要があるとともに、そのテープが汗等で剥がれる等の問題もあった。
【０００５】
また、耳穴に装着するイヤホーンが耳穴に密着して外耳道を密閉する構造とはなっていないため、周囲の騒音がその隙間から外耳道内に入り込んでノイズとなり、スピーカでの聞き取りがしにくく、周囲の騒音よりプラス約４ｄＢ〜１０ｄＢ高い出力で使用するため、騒音暴露許容基準を超えると、通常イヤホーン難聴といわれる社会問題が発生していた。また、健聴者はともかく、感音性難聴者は軽・中・重度難聴の差はあるが、スピーカ出力音が概ね７０ｄＢ〜１１０ｄＢなければ聞き取れないという問題があり、騒音下ではさらに大音量の出力が必要であった。
【０００６】
【特許文献１】特開平１０−５６６８２号公報
【発明の開示】
【発明が解決しようとする課題】
【０００７】
そこでこの発明は、前記のような従来の問題点を解決し、周囲の騒音を遮断してスピーカ出力音が小さい場合でも、健聴者はもとより感音性難聴者が周囲の騒音に悩まされることなく、明確な音で聞き取ることができ、周囲の騒音に影響されずに送受話も可能なイヤホーンマイクを提供することを目的とする。
【課題を解決するための手段】
【０００８】
前記目的を達成するため、請求項１に記載の発明は、スピーカを有し、一方の耳に装着する第１のイヤホーンと、マイクロホンを有し、他方の耳に装着する第２のイヤホーンと、前記マイクロホンのオンオフを切り換える切換スイッチと、これら切換スイッチ、スピーカ及びマイクロホンを携帯電話などの通信機器に接続する接続手段とを具備し、第２のイヤホーンのマイクロホンは、外耳道内音声を拾って取り込むマイクロホンであり、第１のイヤホーン及び第２のイヤホーンは、耳への装着により外耳道を密閉するイヤーパッドを有することを特徴とする。
【０００９】
請求項２に記載の発明は、請求項１において、接続手段は、通信機器に接続するプラグなどの接続部と、この接続部と第１のイヤホーンのスピーカを接続する第１の接続線と、前記接続部と第２のイヤホーンのマイクロホンを接続する第２の接続線とを有し、第２の接続線に切換スイッチが設けられていることを特徴とする。請求項３に記載の発明は、請求項２において、切換スイッチは、接続部から所定の長さ第１，２のイヤホーン側にある第１の接続線及び第２の接続線の位置に両接続線を束ねるように設けたスイッチボックスに配置されていることを特徴とする。
【００１０】
請求項４に記載の発明は、第１のスピーカを有し、一方の耳に装着する第１のイヤホーンと、第２のスピーカとマイクロホンを有し、他方の耳に装着する第２のイヤホーンと、前記マイクロホンのオンオフを切り換える第１の切換スイッチと、第２のスピーカのオンオフを切り換える第２の切換スイッチと、これら第１，２の切換スイッチ、第１，２のスピーカ及びマイクロホンを携帯電話などの通信機器や携帯オーディオプレーヤーなどのオーディオ機器に接続する接続手段とを具備し、第２のイヤホーンのマイクロホンは、外耳道内音声を拾って取り込むマイクロホンであり、第１のイヤホーン及び第２のイヤホーンは、耳への装着により外耳道を密閉するイヤーパッドを有することを特徴とする。
【００１１】
請求項５に記載の発明は、請求項４において、接続手段は、通信機器やオーディオ機器に接続するプラグなどの接続部と、この接続部と第１のイヤホーンの第１のスピーカを接続する第１の接続線と、前記接続部と第２のイヤホーンのマイクロホンを接続する第２の接続線と、前記接続部と第２のイヤホーンの第２のスピーカを接続する第３の接続線とを有し、第２の接続線に第１の切換スイッチが設けられ、第２の接続線及び第３の接続線に第２の切換スイッチが設けられていることを特徴とする。請求項６に記載の発明は、請求項５において、第１の切換スイッチ及び第２の切換スイッチは、接続部から所定の長さ第１，２のイヤホーン側にある第１の接続線、第２の接続線及び第３の接続線の位置にこれら接続線を束ねるように設けたスイッチボックスに配置されていることを特徴とする。
【発明の効果】
【００１２】
この発明は、前記のようであって、請求項１ないし３に記載の発明は、第２のイヤホーンのマイクロホンが、骨伝導マイクロホンではなく、外耳道内音声を拾って取り込むマイクロホンであるので、衣服や接続線等の擦れ音等、周囲の振動を拾うことがなく、ノイズのない状態で明瞭な音で相手に伝えることができる。また、セパレート型になっている第１のイヤホーン及び第２のイヤホーンは、耳への装着により外耳道を密閉するイヤーパッドを有するので、周囲の騒音を遮断してスピーカ出力音が小さい場合でも、感音性難聴者が周囲の騒音に悩まされることなく、明確な音で聞き取ることができ、中・重度の感音性難聴者に必要な９０ｄＢを超えるような大音量であっても発振・エコーを防止することもできる。したがって、携帯電話の子機に応用すれば、その通話音を明瞭に相手方に伝えることができて、感音性難聴者にも有効である。
【００１３】
請求項４ないし６に記載の発明は、前記のような効果に加えて、携帯オーディオプレーヤーなどのオーディオ機器などにも選択的に接続して音楽を鑑賞することが可能となり、利便性が向上する。
【発明を実施するための最良の形態】
【００１４】
この発明の実施の形態を、添付図面を参照して説明する。
【００１５】
［実施の形態１］
この実施の形態１は通話専用タイプのイヤホーンマイクを示すものである。図１はイヤホーンマイクの全体概略図、図２はその使用例を示す図面、図３は回路構成図を示す図面である。
【００１６】
１はイヤホーンマイクで、このイヤホーンマイク１は、スピーカＳＰを有し、一方の耳に装着する第１のイヤホーン２と、マイクロホンＭｉｃを有し、他方の耳に装着する第２のイヤホーン３と、マイクロホンＭｉｃのオンオフを切り換える切換スイッチＳＷと、これら切換スイッチＳＷ、スピーカＳＰ及びマイクロホンＭｉｃを携帯電話、電話機、無線機などの図示しない通信機器に接続する接続手段５とを具備している。
【００１７】
接続手段５は、前記通信機器のジャックなどに接続する接続部としてのプラグ６と、このプラグ６と第１のイヤホーン２のスピーカＳＰを接続する第１の接続線７と、プラグ６と第２のイヤホーン３のマイクロホンＭｉｃを接続する第２の接続線８とを有している。プラグ６から所定の長さ第１，２のイヤホーン２，３側にある第１の接続線７及び第２の接続線８の位置には両接続線を束ねるようにスイッチボックス９が設けられ、該ボックスには切換スイッチＳＷが第２の接続線８に設けられて配置されている。第２の接続線８には切換スイッチＳＷのほかに抵抗Ｒが設けられている。第２のイヤホーン３のマイクロホンＭｉｃは、鼓膜側からの外耳道内音声（骨伝導による音ではない）を拾って取り込むマイクロホンである。骨伝導マイクロホンは、機械伝播音をピックアップマイクによってピックアップし、音声信号として伝送するが、このマイクロホンＭｉｃは、空気伝播音による空気振動音が一般的なコンデンサーマイクのダイヤフラムを揺らし、それを音声信号として伝送する。また、１１は外耳道を密閉するイヤーパッドであり、それぞれイヤホーン２，３の後記する本体の耳穴への挿入部に装着されている。
【００１８】
第１のイヤホーン２及び第２のイヤホーン３の内部構造について詳しく説明する。まず第１のイヤホーン２であるが、図４に示すように耳穴に適合する大きさに形成された開口１３付き挿入部１４を有する中空状の本体１５を具えている。本体１５は合成樹脂製で、側面から見て円形となった略円筒形状を呈し、挿入部１４に開口１３を有する以外に開口部がなく、内部は密閉状の中空部となっている。挿入部１４は本体１５の側面中央部から突出状に設けられ、その外周にはゴムなど弾性材料からなり、どのような大きさの耳穴（外耳道）でも密着する前記したイヤーパッド１１が嵌合されている。本体１５は、イヤーパッド１１側の半部１５ａと反対側の半部１５ｂとが嵌合され、さらに半部１５ｂの外周にはリング部材１７が介装されたうえ、第１の接続線７を収容するチューブ体１８の一端拡開部が嵌合により装着され、一体化されている。
【００１９】
本体１５内には１つの放音孔以外は密閉状に形成されて前記通信機器から受信する音声信号を拡声するスピーカＳＰが挿入部１４側の内側層を形成するように配置されたエラストマー１９に形成した型孔１６に嵌入して固定されている。スピーカＳＰは、図示しない前記放音孔が挿入部１４の開口１３を向いて設けられている。また、スピーカＳＰの放音孔から開口１３のある方向の挿入部１４には漏斗状にやや拡開した放音道２０が所定長さにわたり形成されている。スピーカＳＰの放音道２０は、前記のように本体１５の合成樹脂やエラストマー１９又は後記イヤーパッド１１の本体２１によって二重壁構造に形成され、外部騒音を抑制できるようになっている。
【００２０】
イヤーパッド１１は生体に適するシリコーンゴムで製作され、中空円筒状に形成された先、後端の両端が開口した本体２１を有している。本体２１には内周面中間部に環状の係止凸部２２が形成され、その前後に環状の凹部２３，２４が形成されている。そして係止凸部２２がイヤホーン２の本体１５の挿入部１４の外周面に形成した環状の係止凹部２６に嵌合係止し、かつ凹部２３，２４に同外周面に形成した環状凸部２７，２８が嵌合することにより、図示したようにイヤーパッド１１はイヤホーン２の本体１５の挿入部１４に装着された状態になる。また、イヤーパッド１１の本体２１の外周面には本体２１と同じ材料からなる多数の薄肉ひだ状遮音壁２５が軸方向に所定の間隔をおいてリング状に一体に設けられている。これら遮音壁２５は全て同一外径となっており、やや後端側に傾いている。また、遮音壁２５は外耳道の敏感な触覚を刺激せず、イヤーパッド１１に求められる柔らかい装着性を保つため、肉厚が外周縁に向けて薄くなっている。このように構成されたイヤーパッド１１はイヤホーン２が耳に装着されると、外周に多数形成した遮音壁２５が挿入側と反対側にたわんで倒れ込み、その外周縁が外耳道の内壁に接触して外耳道を密閉する。
【００２１】
２９は本体１５の挿入部１４と反対側の内側層を形成するムンクス（ブリヂストン社製）で、本体１５内に前端がエラストマー１９の後端及びスピーカＳＰの後端と接し、かつ後ろ側の外面が本体１５の半部１５ｂに密接して配置されている。ムンクス２９とは、ＭＮＣＳ（Micro Network Controlled Structure）の商品名であり、特殊ポリマーとオイルとのコンパウンド技術を用いて、人間の細胞に近い構造を形成した熱可塑性の素材である。このムンクス２９は、防振性や、耐薬品性に優れている。ムンクス２９は、吸音材の一例として示したもので、ほかに同効のものに置き換えてもよい。
【００２２】
次に第２のイヤホーン３であるが、図５，６に示すように耳の穴に適合する大きさに形成された開口１３付き挿入部１４を有する中空状の本体１５を具えている構造になっている点、イヤーパッド１１を具えている点等、基本的な構成は、図４に示す第１のイヤホーン２と同様である。そのため、同様の部材には同一符号を付して説明を簡略し、主として異なる構成について説明することとする。
【００２３】
イヤホーン３において、本体１５内には挿入部１４の開口１３を経て空気振動として伝わってくる音声信号としての外耳道内音声を拾って取り込むマイクロホンＭｉｃがエラストマー３１に形成した型孔３２に嵌入して固定されている。エラストマー３１は本体１５の挿入部１４側の内側層を形成するように開口１３を塞いで半部１５ａにその外面が密接して配置されている。マイクロホンＭｉｃの開口１３側を向いた前面中央部には集音孔３３が設けられている。集音孔３３の前方には半球状の集音ホール３４が形成されているとともに、そのやや上方の前方には集音道３５が形成され、該集音道の前端はエラストマー３１の前端面に横向きに溝状に形成された分岐音道３６の一方の端を介して開口１３と連通している。３７は分岐音道３６を介して型孔３２のないエラストマー３１に集音道３５と並行に形成された集音道で、その前端開口が分岐音道３６の集音道３５のある一方の端とは反対側の他方の端において連通し、後端開口がエラストマー３１の内部空間３８と連通している。集音道３７の後端開口の近くのマイクロホンＭｉｃの後面やや上方部には集音孔３３と同径の集音孔３９が設けられている。
【００２４】
マイクロホンＭｉｃの前面にある集音孔３３は、エラストマー３１に形成した集音ホール３４、集音道３５及び分岐音道３６によって開口１３と連通して開口側からの外耳道内音声を集音可能となっている。一方、後面にある集音孔３９は、密閉された内部空間３８を向いて、エラストマー３１に形成した集音道３７及び分岐音道３６によって開口１３と連通して開口１３側からの外耳道内音声の一部、すなわち集音道３７から内部空間３８に入った音でムンクス２９等で吸音・減衰されない残りの回折音を集音可能となっている。４１は第２の接続線８を収容するチューブ体を示す。
【００２５】
次に、イヤホーンマイク１の作用（使用方法）について説明する。通信機器に接続して通常の通話をするには、図２に示すように第１のイヤホーン２を一方の耳に装着し、第２のイヤホーン３を他方の耳に装着する。この際に、両イヤホーンの挿入部１４に装着されたイヤーパッド１１の遮音壁２５が挿入反対側に倒れ込んで徐々にフイットする位置まで挿入され、その外周縁が外耳道の内壁に接触して外耳道を密閉するとともに、遮音壁２５がくさび状に食い込む形となるので、装着がきわめて安定したものとなる。しかも、隣接する遮音壁２５と遮音壁２５の間に密閉空間がいくつか形成された状態となるので、これら密閉空間の減衰効果により密閉性、遮音性にすぐれたものとなり、外耳道内を密閉状態にする。そのため、外部から外耳道内に進入しようとする音はイヤーパッド１１の遮音壁２５の外周縁が外耳道の内壁に接触して外耳道を密閉することによって防がれる。
【００２６】
前記耳への装着と併行して、プラグ６を通信機器のジャックに接続する。そして切換スイッチＳＷをオンとし、このオン状態で通話を行うこととなる。すなわち、通信機器からの相手方の音声は第１の接続線７を経てイヤホーン２にあるスピーカＳＰで拡声されて使用者に伝えられる。また、使用者の話した音は外耳道内音声としてイヤホーン３にあるマイクロホンＭｉｃで拾われ、第２の接続線８を経て通話機器へ伝送されて相手方へ伝えられる。この際に、マイクロホンＭｉｃがノイズも同時に拾ってしまい通信機器に感度のよい音を送れないことも考えられるが、このようなときでも懸念することがない。
【００２７】
これについて図５に基づき詳しく述べると、使用者の話した音は口からの直接的な発声音のほかに、矢印ａで示すように鼓膜側からの指向性が強い外耳道内音声として、開口１３から空気伝播して分岐音道３６の両端からそれぞれ集音道３５と集音道３７に入り、集音ホール３４からマイクロホンＭｉｃの集音孔３３で１００％集音される。これと同時に、集音道３７に入った音は矢印ｂで示すように内部空間３８に分散され、ムンクス２９によって約９０％は吸収されて減衰し、残りの回析音約１０％が矢印ｃで示すようにマイクロホンＭｉｃの集音孔３９で集音される。そして、この集音孔３３，３９に入る音の音圧差でマイクロホンＭｉｃ内にあるダイヤフラムにプラスとマイナスで入力され、打ち消し合うこととなるが、外耳道内の音声信号の約９０％は打ち消されずに残り、この充分に残った音声が第２の接続線８を経て通信機器に送信され、相手側へ送られるため、消えることはない。また、ノイズとしてスピーカＳＰの音もあるが、この音は感音性難聴者に必要な約７０ｄＢ以上〜１１０ｄＢの出力であっても、マイクロホンＭｉｃと反対側の耳に分離して装着されたイヤホーン２内の音であるからマイクロホンＭｉｃに入ることがない。したがって、マイクロホンＭｉｃからはノイズのない感度のよい音声を送ることができる。しかも、この場合には発振・エコーの影響もない。
【００２８】
前記のことは使用者が健聴者であれば問題がないが、感音性難聴者においては左右の可聴度が同じではないので、その使用方法に工夫を要する。可聴度が悪くても、その外耳道内音声は通常と同じである。これを利用して感音性難聴者がイヤホーンマイク１を使用するときには、左右の耳の可聴度がよい（高い）方の耳に、スピーカＳＰ専用の第１のイヤホーン２を装着し、他方の可聴度が悪い（低い）方の耳に、マイクロホンＭｉｃ専用のイヤホーン３を装着する。このようにすればスピーカＳＰとマイクロホンＭｉｃが左右の耳に分離され、発振やエコーは一切発生せず、軽度難聴者には、感音性難聴者が聞き取れないとされる聴覚に悪影響のない７０ｄＢに満たない音でもスピーカＳＰから良好に聞き取ることができ、中・重度難聴者には８０ｄＢを超えるような大音量の出力も可能となり、マイクロホンＭｉｃにより通常と同じように外耳道内音声を送ることができる。
【００２９】
また、感音性難聴者は大きな音なら聞こえるものではなく複雑に混在する環境音の中から、人の発声音やＴＶや音楽の音だけを聞き分けるカクテルパーティー効果の能力も劣っており、マスキング現象にも影響を受け易いのであるが、感音性難聴者の外耳道をイヤーパッド１１により密閉させることで、イヤホーン２から出力させる音だけを聞くことが可能なため、聞き分ける能力が必要なく、マスキング現象もなくイヤホーン２からの出力音に集中できるのでよく聞こえる。
【００３０】
さらに、人間の聴力は、保身のため、周囲の混在する環境音を常に聞き取ることを目的として周囲の音場環境に合わせて可聴の感度が自動的に上下している。例えば８０ｄＢを超えるような騒音環境であれば、聴覚の感度は鈍くなり、深夜のような音のない環境になれば、「シーン」という音を感じるほど、聴覚の感度は鋭くなるのであるが、このような場合であってもイヤーパッド１１で外耳道を密閉し、周囲の音を約３０ｄＢカットすることで、自動的に聴覚の感度が上がるため、感音性難聴者も同様に聞こえ易くなる。出願人の調査によれば、通常のイヤホーンと、イヤーパッド１１で外耳道を密閉したイヤホーンではイヤーパッド１１で密閉したイヤホーンの方が可聴周波数帯域に個人差はあるものの、通常可聴域より１ｋＨｚ〜３ｋＨｚ上の高帯域まで聞こえることが判明している。
【００３１】
［実施の形態２］
この実施の形態２はオーディオや映像兼用タイプのイヤホーンマイクを示すものである。図７はイヤホーンマイクの全体概略図、図８はその使用例を示す図面、図９は回路構成図を示す図面である。
【００３２】
５１はイヤホーンマイクで、このイヤホーンマイク５１は、第１のスピーカＳＰ１を有し、一方の耳に装着する第１のイヤホーン５２と、第２のスピーカＳＰ２とマイクロホンＭｉｃを有し、他方の耳に装着する第２のイヤホーン５３と、マイクロホンＭｉｃのオンオフを切り換える第１の切換スイッチＳＷ１と、第２のスピーカＳＰ２及びマイクロホンＭｉｃのオンオフを第２のスピーカＳＰ２がオンのときはマイクロホンＭｉｃがオフとなり、第２のスピーカＳＰ２がオフのときはマイクロホンＭｉｃがオンとなるように同時に切り換える第２の切換スイッチＳＷ２と、これら第１，２の切換スイッチＳＷ１，ＳＷ２、第１，２のスピーカＳＰ１，ＳＰ２及びマイクロホンＭｉｃを携帯電話などの図示しない通信機器や携帯オーディオプレーヤーなどの図示しないオーディオ機器に接続する接続手段５５とを具備している。第２の切換スイッチＳＷ２は、第２のスピーカＳＰ２のオンオフを切り換えるだけの機能のスイッチとしてもよい。
【００３３】
接続手段５５は、通信機器やオーディオ機器のジャックなどに接続する接続部としてのプラグ５６と、このプラグ５６と第１のイヤホーン５２のスピーカＳＰ１を接続する第１の接続線５７と、プラグ５６と第２のイヤホーン５３のマイクロホンＭｉｃを接続する第２の接続線５８と、プラグ５６と第２のイヤホーン５３の第２のスピーカＳＰ２を接続する第３の接続線５９とを有している。プラグ５６から所定の長さ第１，２のイヤホーン５２，５３側にある第１の接続線５７、第２の接続線５８及び第３の接続線５９の位置にはこれら接続線を束ねるようにスイッチボックス６０が設けられ、該ボックスには切換スイッチＳＷ１が第２の接続線５８に設けられて配置されているとともに、切換スイッチＳＷ２が第２の接続線５８及び第３の接続線５９に設けられて配置されている。第２の接続線５８には切換スイッチＳＷ１，ＳＷ２のほかに抵抗Ｒが設けられている。第２のイヤホーン５３のマイクロホンＭｉｃは、外耳道内音声を拾って取り込むマイクロホンである。また、６１は外耳道を密閉するイヤーパッドであり、それぞれイヤホーン５２，５３の後記する本体の耳穴への挿入部に装着されている。
【００３４】
実施の形態２の第１のイヤホーン５２は、図４に示す実施の形態１の第１のイヤホーン２と同構造である。したがって、ここでは説明の重複を避けるために詳しい内部構造についての説明は省略する。図７に示すようにスピーカの表示のみＳＰに代えてＳＰ１としている。一方、第２のイヤホーン５３は、マイクロホンＭｉｃのほかにスピーカＳＰ２を有していて、実施の形態１の第２のイヤホーン３と異なる構造となっている。すなわち、第２のイヤホーン５３は図１０に示す通りであるが、該図と図４，５の対比から明らかなように、これらのイヤホーン２，３に配置したスピーカＳＰとマイクロホンＭｉｃを併せもつ同様な内部構造となっており、それらについてはすでに説明した通りである。そのため、同様の部材には同一符号を付して説明を省略する。図１０に示すようにスピーカの表示のみＳＰに代えてＳＰ２としている。また、図１０において６３は第２の接続線５８及び第３の接続線５９を収容するチューブ体を示す。
【００３５】
次に、イヤホーンマイク５１の作用（使用方法）について説明する。通信機器を介して通常の通話をするには、図８に示すように第１のイヤホーン５２を一方の耳に装着し、第２のイヤホーン５３を他方の耳に装着する。この際に、両イヤホーンの挿入部１４に装着されたイヤーパッド６１の遮音壁２５が挿入反対側に倒れ込んで徐々にフイットする位置まで挿入され、装着がきわめて安定したものとなるとともに、多数の遮音壁により外耳道を密閉することは前記した通りである。
【００３６】
これと併行して、プラグ５６を通信機器のジャックに接続する。そして切換スイッチＳＷ１をオン、切換スイッチＳＷ２をマイクロホンＭｉｃがオン、第２のスピーカＳＰ２がオフとなるように切り換えた状態で通話を行う。すなわち、通信機器からの相手方の音声はイヤホーン５２にあるスピーカＳＰ１で拡声されて使用者に伝えられる。また、使用者の話した音は外耳道内音声としてイヤホーン５３にあるマイクロホンＭｉｃで拾われ、通話機器へ伝送されて相手方へ伝えられる。
【００３７】
一方、通話ではなくオーディオ用として使用するには、切換スイッチＳＷ２を第２のスピーカＳＰ２がオン、マイクロホンＭｉｃがオフとなるように切り換える。これにより両イヤホーンのスピーカＳＰ１，ＳＰ２が作動可能となり、オーディオ機器からの音声が両スピーカで拡声されて使用者に伝えられる。両スピーカＳＰ１，ＳＰ２は同構造で同機能をもっているため、左右の耳から同音圧の音声を聞くことができる。また、ワンセグ携帯などの携帯電話に接続してＴＶ鑑賞用や音楽鑑賞用として使用することもでき、このときにも前記と同様な用い方をする。
【００３８】
スピーカＳＰ２とマイクロホンＭｉｃを有する第２のイヤホーン５３だけでも通話することが可能であるが（例えば、特願２００６−１９０１６）、健聴者が使用する場合はスピーカＳＰ２とマイクロホンＭｉｃの一体化によるスピーカＳＰ２の動作可能出力は物理的に７０ｄＢ以下であり、これ以上の出力は外耳道内の容積が約２ｃｃという現状により、飽和して発振・エコーは制御不能となる。一方、イヤホーン難聴を防止する上でもこれ以上の出力は８０ｄＢが限界である。これに対して、感音性難聴者が使用する場合のスピーカ出力は約７０ｄＢ以上〜１１０ｄＢの出力がなければ聞き取れないという問題がある。そのためにスピーカとマイクを左右の耳に分離することで、約７０ｄＢ以上〜１１０ｄＢの出力であっても、マイクが反対側にあるためスピーカ音がマイクに入力されることがなく、発振・エコーを防止する。
【００３９】
尚、前記に示した実施の形態１，２は好ましい一例を挙げたにすぎず、これ以外の実施の形態を排除するものではない。また、イヤホーンの内部構造におけるスピーカ、マイクロホンの配置も任意であり、図示した以外の配置としてもよい。また、通信機器等との接続手段を構成する接続部の例としてプラグを示したが、接続可能な部材であればプラグ以外でもよい。また、実施の形態１，２ではスイッチボックスを接続線の長さの中間位置に設け、イヤホーンを耳穴に装着したときにスイッチボックスがちょうど使用者の胸前の操作し易い位置となるようにイヤホーンからスイッチボックスまでの長さを調整し、該長さ分については接続線がセパレートとされ、それ以外のスイッチボックスからプラグまでの接続線部分はセパレートとすることなく接合したものとしているが、ほかにスイッチボックスからプラグまでの接続線部分もセパレートとしてもよい。また、スイッチボックスを接続線に対してスライド可能な構成としてもよいなど細部の設計は実施に際して任意に変更、修正が可能である。
【図面の簡単な説明】
【００４０】
【図１】この発明の実施の形態１のイヤホーンマイクを示す全体概要図である。
【図２】同上のイヤホーンマイクの使用例を示す図面である。
【図３】同上の回路構成図を示す図面である。
【図４】同上の第１のイヤホーンの詳細を示す拡大断面図である。
【図５】同上の第２のイヤホーンの詳細を示す拡大断面図である。
【図６】図５のVI−VI線に沿う断面図である。
【図７】実施の形態２のイヤホーンマイクを示す全体概要図である。
【図８】同上のイヤホーンマイクの使用例を示す図面である。
【図９】同上の回路構成図を示す図面である。
【図１０】同上の第２のイヤホーンの詳細を示す拡大断面図である。
【符号の説明】
【００４１】
１，５１  イヤホーンマイク
２，５２  第１のイヤホーン
３，５３  第２のイヤホーン
５，５５  接続手段
６，５６  プラグ（接続部）
７，５７  第１の接続線
８，５８  第２の接続線
５９  第３の接続線
９，６０  スイッチボックス
１１，６１  イヤーパッド
１３  開口
１４  挿入部
１５  本体
ＳＰ  スピーカ
ＳＰ１  第１のスピーカ
ＳＰ２  第２のスピーカ
Ｍｉｃ  マイクロホン
ＳＷ  切換スイッチ
ＳＷ１  第１の切換スイッチ
ＳＷ２  第２の切換スイッチ
【図１】
2008283326.tif 000003
【図２】
2008283326.tif 000004
【図３】
2008283326.tif 000005
【図４】
2008283326.tif 000006
【図５】
2008283326.tif 000007
【図６】
2008283326.tif 000008
【図７】
2008283326.tif 000009
【図８】
2008283326.tif 000010
【図９】
2008283326.tif 000011
【図１０】
2008283326.tif 000012